(57)【要約】      （修正有）【課題】特に夏場のマスク掛けはこまめに外したくなるが、外しても耳に掛けたままで痛くもならず邪魔にもならないマスク掛け止めホルダーを提供する。【解決手段】マスク掛け止めホルダーは、片方の耳の根元線に沿って装着して使用され管状溝体２であって、縦中央に紐掛け溝３が形成され、一方側の上端にズレ防止凸部６を設け、他方側の下端にフック５を設けてある。【選択図】図１
0003228784.tif 000002
【実用新案登録請求の範囲】
【請求項１】
片方の耳の後背側根元域において、根元線に沿う数ミリ幅で、上端から耳たぶ側下端までを覆う形で装着して使用されるものであって、シリコーンゴム材の様な柔軟で肌触り良いフィット感で滑りにくい質材で成り、ゴムチューブを縦、即ち長さ方向に切り開けたような管状溝体を成し、ここに形成された曲線的な溝空間を紐掛け溝と称し、
以上を特徴とするマスク掛け止めホルダー。
【請求項２】
管状溝体の一方の下端にフックを設けてあることを特徴とする、請求項１に記載のマスク掛け止めホルダー。
【請求項３】
管状溝体の他方の上端に、ズレ防止凸部を設けてあることを特徴とする請求項１に記載のマスク掛け止めホルダー。
【考案の詳細な説明】
【技術分野】
【０００１】本考案はマスク掛け止めホルダーに関するものである。
【背景技術】
【０００２】マスクの紐が簡単に掛け易くて外れ難い形状安定性を備えた紐係止体が知られている（特許文献１参照）。
マスクの紐を覆う目的で片方の耳の片方の後背側根元域に沿い、マスクの着脱を容易に行うための溝をつけた合成樹脂製チューブも知られている（特許文献２参照）。
マスクの着用状態において、締紐の係止状態が維持され、かつ、位置ずれを抑制することのできるマスク用の係止具も知られている（特許文献３参照）。
【先行技術文献】
【特許文献】
【０００３】
【特許文献１】特開２０１９ー４９０７１号公報
【特許文献２】特開２０１７−１９３８０２号公報
【特許文献３】特開２０１２ー１６５１６号公報
【考案の概要】
【考案が解決しようとする課題】
【０００４】特許文献１で示される先行技術は、防護服の上からマスク装着のズレがないような円形状の部品ではあるが、頭や顔を覆う際に取り付けるもので日常的に簡易に使用できるものではない。
特許文献２で示される先行技術は、マスクの紐のズレを軽減するため、マスクの紐部分に特殊な形状の部品を装着し、その形状によってズレの防止などを行うといったものが提供されているが、装着時の改善点ではあるものの、耳に掛けて使用するものではない上、マスクを外した時の改善案はなされていない。
特許文献３で示される先行技術は、マスク紐に通して使用する止め具で、マスクの紐の長さを調節できるものであって、マスクの着脱に関するものではない。
【課題を解決するための手段】
【０００５】  片方の耳の後背側根元域において、根元線に沿う数ミリ幅で、上端から耳たぶ側下端までを覆う形で装着して使用されるものであって、シリコーンゴム材の様な柔軟で肌触りの良いフィット感で滑りにくい質材で成り、ゴムチューブを縦・即ち長さ方向に切り開けた管状溝体を成している。ここに形成された曲線的な溝空間を紐掛け溝と称する。管状溝体において、下端にはフックを設けてあり、紐掛け溝に一方の耳掛け紐をフックに掛け止めておくことができ、反対側には耳から落脱しにくいように丸っこい膨らみ即ちズレ防止凸部を設けてある。
そのように構成された本考案を使用する時は、紐掛け溝の溝口にマスクの片方の耳掛け紐を添わせ、マスク側へ軽く引っ張ると、耳掛け紐はスッと紐掛け溝の内部空間に沈み込み、溝口側を除く周囲を覆い被され、且つ内壁面の滑りにくい性質も合わさって、身体・頭部の動作や強風等によって落脱する心配もない。
以上を特徴とするマスク掛け止めホルダーである。
【考案の効果】
【０００６】  耳の根元線に沿うよう使用するのでマスクの装着時にも邪魔にならない。マスクを外す時は紐掛け溝内部に沈んだマスク紐が安定し、反対側のマスク紐を手で持ちマスク表面を触らずにマスクの着脱が可能となる。外したマスク紐をそのまま下方に垂らしたままでも、フックにひっかけてマスク本体を二つ折にして顔脇に収納して使用する事が出来る。紐掛け溝にマスク紐を添わせるため、身体・頭部の動作や強風によってマスクが落脱するリスクを軽減できる。着脱が容易に行えるため、顔の温度上昇を抑える対策として有効である。
【図面の簡単な説明】
【０００７】
【図１】本考案の斜視図
【図２】本考案を使用してマスクをかけている状態を示す斜視図
【図３】本考案において使用中に掛けたマスクの片方を耳から外して、もう片方の耳に吊り下げたままにしている状態を示す斜視図
【図４】図３に示された本考案の使用中においてマスクがより外れにくいように二つ折にして吊り下げた状態を示す斜視図
【考案を実施するための形態】
【０００８】  片方の耳（Ｃ）の後背側根元域において、根元線に沿う数ミリ幅で、上端から耳たぶ側下端までを覆う形で装着して使用されるものであって、シリコーンゴム材の様な柔軟で肌触りの良いフィット感で滑りにくい質材で成り、ゴムチューブを縦・即ち長さ方向に切り開けた管状溝体（２）を成している。ここに形成された曲線的な溝空間を紐掛け溝（３）と称する。管状溝体（２）において、下端にはフック（５）を設けてあり、紐掛け溝（３）に一方の耳掛け紐（Ｂ）をフック（５）に掛け止めておくことができ、反対側には耳から落脱しにくいように丸っこい膨らみ即ちズレ防止凸部（６）を設けてある。
そのように構成された本考案を使用する時は、紐掛け溝の溝口（４）にマスク（Ａ）の片方の耳掛け紐（Ｂ）を添わせ、マスク（Ａ）側へ軽く引っ張ると、耳掛け紐（Ｂ）はスッと紐掛け溝（３）の内部空間に沈み込み、溝口（４）側を除く周囲を覆い被され、且つ内壁面の滑りにくい性質も合わさって、身体・頭部の動作や強風等によって落脱する心配もない。
マスク掛け止めホルダー（１）は、以上のような構成であり、以下その具体的な使用法を説明する。
本考案を使用する時は、図１の溝口（４）に耳掛け紐（Ｂ）を添わせ、図２のように耳（Ｃ）の後背側へ引っかけて装着する。その際上部に設けたズレ防止凸部（６）を耳（Ｃ）の内側の奥部に引っかけることでより安定感が増す。もう一方の耳掛け紐（Ｂ）を持ち、装着した耳（Ｃ）の反対側の耳（Ｃ）に耳掛け紐（Ｂ）を引っかけマスクを装着する。シリコーンゴムのような柔らかい素材のため、耳（Ｃ）への負担も少なく邪魔にならない。マスク（Ａ）を外す際は、装着していない側の耳掛け紐（Ｂ）を持ち、耳（Ｃ）から外し、図３のように顔脇に垂らしたままにしても落脱しない。また図４のように耳掛け紐（Ｂ）をフック（５）に掛け、マスク（Ａ）を二つ折にして顔脇に収納することで、いつでもマスク（Ａ）を装着したいときに耳掛け紐（Ｂ）を反対の耳（Ｃ）に掛ければ、着脱が容易に行える。顔表面の温度上昇を防ぐことができ収納場所も不要で、耳掛け紐（Ｂ）での操作なので、マスク（Ａ）の表面を触らず感染防止の観点からも有効である。
【符号の説明】
【０００９】１  マスク掛け止めホルダー、  ２  管状溝体、  ３  紐掛け溝、  ４  溝口、
５  フック、  ６  ズレ防止凸部、  Ａ  マスク、  Ｂ  耳掛け紐、  Ｃ  耳
【図１】
0003228784.tif 000003
【図２】
0003228784.tif 000004
【図３】
0003228784.tif 000005
【図４】
0003228784.tif 000006